(57)【要約】【課題】この発明は、１つのタイトルを複数のユーザが別々に視聴するような場合においても、各ユーザが自己が再生停止を行った位置から再生を開始させるといったことが容易に行えるようになる再生装置を提供することを目的とする。【解決手段】レジューム情報を記憶手段に追加登録した際に、記憶手段に記憶されているレジューム情報のうちの１つのレジューム情報を現在選択しているレジューム情報として指定させる指定手段、および再生中において、現在選択されているレジューム情報としての指定を、記憶手段に記憶されている他のレジューム情報に変更させるための入力手段を備えている。【選択図】  図１
2005032297.tif 000002
【特許請求の範囲】
【請求項１】
タイトルの再生停止時に停止位置を示すレジューム情報を記憶し、当該タイトルの再生開始時にレジューム情報で示される再生停止位置から再生を開始するレジューム機能を備えた再生装置において、
レジューム情報を記憶するための記憶手段、
あるタイトルに対して再生が停止せしめられる毎に、記憶手段に記憶されているそのタイトルに対するレジューム情報の数が、予め定められた２以上の所定数に達しているか否かを判別し、所定数に達していないときには今回の再生停止位置を示すレジューム情報を記憶手段に追加登録し、所定数に達している場合には所定のレジューム情報を削除した後、今回の再生停止位置を示すレジューム情報を記憶手段に追加登録する登録手段、
レジューム情報を記憶手段に追加登録した際に、記憶手段に記憶されているレジューム情報のうちの１つのレジューム情報を現在選択しているレジューム情報として指定させる指定手段、
再生開始時には、記憶手段に記憶されているレジューム情報のうち、現在選択しているものとして指定されているレジューム情報によって示されている再生停止位置から再生を開始させる手段、
再生中において、現在選択されているレジューム情報としての指定を、記憶手段に記憶されている他のレジューム情報に変更させるための入力手段、ならびに
入力手段によって、現在選択されているレジューム情報の指定が、記憶手段に記憶されている他のレジューム情報に変更されたときには、再生位置を変更後のレジューム情報によって示されている再生停止位置に移動させる手段、
を備えていることを特徴とする再生装置。
【請求項２】
登録手段は、記憶手段に記憶されているそのタイトルに対するレジューム情報の数が、予め定められた２以上の所定数に達している場合には、記憶手段に記憶されているレジューム情報のうち登録日時が最も古いレジューム情報を削除する手段を備えており、
指定手段は、記憶手段に記憶されているレジューム情報のうち、登録日時が最も新しいレジューム情報を現在選択しているレジューム情報として指定するものであることを特徴とする請求項１に記載の再生装置。
【請求項３】
登録手段は、記憶手段に記憶されているそのタイトルに対するレジューム情報の数が、予め定められた２以上の所定数に達している場合には、記憶手段に記憶されているレジューム情報のうち、再生停止位置がタイトル先頭に最も近い位置にあるレジューム情報を削除する手段を備えており、
指定手段は、記憶手段に記憶されているレジューム情報のうち、再生停止位置がタイトル先頭に最も近い位置にあるレジューム情報を現在選択しているレジューム情報として指定するものであることを特徴とする請求項１に記載の再生装置。
【請求項４】
登録手段は、記憶手段に記憶されているそのタイトルに対するレジューム情報の数が、予め定められた２以上の所定数に達している場合には、記憶手段に記憶されているレジューム情報のうち現在選択されているレジューム情報を削除する手段を備えており、
指定手段は、記憶手段に記憶されているレジューム情報のうち、登録日時が最も新しいレジューム情報を現在選択しているレジューム情報として指定するものであることを特徴とする請求項１に記載の再生装置。
【請求項５】
入力手段は、現在選択されているレジューム情報の指定を、現在選択されているレジューム情報より一つ登録日時が古いレジューム情報に変更させるものであり、現在選択されているレジューム情報の登録日時が最も古いものである場合には、登録日時が最も新しいレジューム情報に変更させるものであることを特徴とする請求項２および４のいずれかに記載の再生装置。
【請求項６】
入力手段は、現在選択されているレジューム情報の指定を、現在選択されているレジューム情報より再生停止位置がタイトル終了側にあるレジューム情報のうち再生停止位置がタイトル先頭に最も近い位置にあるレジューム情報に変更させるものであり、現在選択されているレジューム情報より再生停止位置がタイトル終了側にあるレジューム情報が存在しない場合には、再生停止位置がタイトル先頭に最も近い位置にあるレジューム情報に変更させるものであることを特徴とする請求項３に記載の再生装置。
【発明の詳細な説明】
【０００１】
【発明の属する技術分野】
この発明は、ＨＤＤレコーダ、ＤＶＤレコーダ、ＤＶＤプレーヤ等の再生装置に関する。
【０００２】
【従来の技術】
ＨＤＤレコーダ、ＤＶＤレコーダ等として、再生が停止されたときにその再生停止位置をレジューム情報としてメモリに記憶しておき、次に再生する際に上記再生停止位置から再生を開始するといったレジューム機能を備えたものが開発されている。
【０００３】
しかしながら、１つのタイトルを複数のユーザが別々に視聴するような場合には、次のような問題が生じる。つまり、ある第１のユーザが再生を停止することによってレジューム情報が記憶された後に、他の第２のユーザが再生および再生の停止を行うと、レジューム情報が更新される。このため、その後に、第１のユーザが再生を開始した場合、自己が再生を停止した位置とは異なる位置から再生が開始されてしまう。
【０００４】
【特許文献】特開２０００２−１１２２０１号公報
【０００５】
【発明が解決しようとする課題】
この発明は、１つのタイトルを複数のユーザが別々に視聴するような場合においても、各ユーザが自己が再生停止を行った位置から再生を開始させるといったことが容易に行えるようになる再生装置を提供することを目的とする。
【０００６】
【課題を解決するための手段】
請求項１に記載の発明は、タイトルの再生停止時に停止位置を示すレジューム情報を記憶し、当該タイトルの再生開始時にレジューム情報で示される再生停止位置から再生を開始するレジューム機能を備えた再生装置において、レジューム情報を記憶するための記憶手段、あるタイトルに対して再生が停止せしめられる毎に、記憶手段に記憶されているそのタイトルに対するレジューム情報の数が、予め定められた２以上の所定数に達しているか否かを判別し、所定数に達していないときには今回の再生停止位置を示すレジューム情報を記憶手段に追加登録し、所定数に達している場合には所定のレジューム情報を削除した後、今回の再生停止位置を示すレジューム情報を記憶手段に追加登録する登録手段、レジューム情報を記憶手段に追加登録した際に、記憶手段に記憶されているレジューム情報のうちの１つのレジューム情報を現在選択しているレジューム情報として指定させる指定手段、再生開始時には、記憶手段に記憶されているレジューム情報のうち、現在選択しているものとして指定されているレジューム情報によって示されている再生停止位置から再生を開始させる手段、再生中において、現在選択されているレジューム情報としての指定を、記憶手段に記憶されている他のレジューム情報に変更させるための入力手段、ならびに入力手段によって、現在選択されているレジューム情報の指定が、記憶手段に記憶されている他のレジューム情報に変更されたときには、再生位置を変更後のレジューム情報によって示されている再生停止位置に移動させる手段を備えていることを特徴とする。
【０００７】
請求項２に記載の発明は、請求項１に記載の再生装置において、登録手段は、記憶手段に記憶されているそのタイトルに対するレジューム情報の数が、予め定められた２以上の所定数に達している場合には、記憶手段に記憶されているレジューム情報のうち登録日時が最も古いレジューム情報を削除する手段を備えており、指定手段は、記憶手段に記憶されているレジューム情報のうち、登録日時が最も新しいレジューム情報を現在選択しているレジューム情報として指定するものであることを特徴とする。
【０００８】
請求項３に記載の発明は、請求項１に記載の再生装置において、登録手段は、記憶手段に記憶されているそのタイトルに対するレジューム情報の数が、予め定められた２以上の所定数に達している場合には、記憶手段に記憶されているレジューム情報のうち、再生停止位置がタイトル先頭に最も近い位置にあるレジューム情報を削除する手段を備えており、指定手段は、記憶手段に記憶されているレジューム情報のうち、再生停止位置がタイトル先頭に最も近い位置にあるレジューム情報を現在選択しているレジューム情報として指定するものであることを特徴とする。
【０００９】
請求項４に記載の発明は、請求項１に記載の再生装置において、登録手段は、記憶手段に記憶されているそのタイトルに対するレジューム情報の数が、予め定められた２以上の所定数に達している場合には、記憶手段に記憶されているレジューム情報のうち現在選択されているレジューム情報を削除する手段を備えており、指定手段は、記憶手段に記憶されているレジューム情報のうち、登録日時が最も新しいレジューム情報を現在選択しているレジューム情報として指定するものであることを特徴とする。
【００１０】
請求項５に記載の発明は、請求項２乃至４に記載の再生装置において、入力手段は、現在選択されているレジューム情報の指定を、現在選択されているレジューム情報より一つ登録日時が古いレジューム情報に変更させるものであり、現在選択されているレジューム情報の登録日時が最も古いものである場合には、登録日時が最も新しいレジューム情報に変更させるものであることを特徴とする。
【００１１】
請求項６に記載の発明は、請求項３に記載の再生装置において、入力手段は、現在選択されているレジューム情報の指定を、現在選択されているレジューム情報より再生停止位置がタイトル終了側にあるレジューム情報のうち再生停止位置がタイトル先頭に最も近い位置にあるレジューム情報に変更させるものであり、現在選択されているレジューム情報より再生停止位置がタイトル終了側にあるレジューム情報が存在しない場合には、再生停止位置がタイトル先頭に最も近い位置にあるレジューム情報に変更させるものであることを特徴とする。
【００１２】
【発明の実施の形態】
以下、図面を参照して、この発明の実施の形態について説明する。
【００１３】
〔１〕実施の形態の説明
【００１４】
図１は、記録再生装置の概略的な構成を示している。
【００１５】
記録再生装置は、入力部１、制御部２、記録・再生部３、記録・再生メディア４およびレジューム情報記憶部５を備えている。記録・再生メディア４としては、ＨＤＤ、ＤＶＤ等が用いられる。
【００１６】
記録動作中においては、入力部１に入力された映像・音声信号が、記録・再生部３を介して記録・再生メディア４に記録される。再生動作中においては、記録・再生メディア４に記録された映像・音声信号が、記録・再生部３を介して再生されて出力される。
【００１７】
なお、この記録再生装置は、レジューム機能を備えており、再生停止位置を示すレジューム情報は、レジューム情報記憶部５に格納される。
【００１８】
この実施の形態では、１つのタイトルに対して、５個のレジューム情報を記憶できるようになっている。図２のＡはタイトル先頭位置を示し、図２のＧはタイトル終了位置を示し、図２のＢ〜Ｆは再生停止位置を示している。この例では、Ｂは２回目の再生停止位置を、Ｃは１回目の再生停止位置を、Ｄは５回目の再生停止位置を、Ｅは３回目の停止位置を、Ｆは４回目の停止位置を、それぞれ示している。
【００１９】
レジューム情報記憶部５には、図３に示すように、上記第１〜第５回目の再生停止位置を示すレジューム情報が格納されている。レジュームポインタは、これらのレジューム情報のうち現在選択されているレジューム情報を示すものである。なお、レジューム情報は、当該レジューム情報が登録された日時と、タイトル先頭から再生停止位置までの時間（再生停止位置を表す情報）とからなる。
【００２０】
レジューム情報は、再生が停止された時点で追加登録される。既に５個のレジューム情報が登録されている場合には、この実施の形態では、登録日時が最も古いものが削除された後に、新しいレジューム情報が追加登録される。
【００２１】
図４は、再生時の処理手順を示している。
【００２２】
この実施の形態では、操作部（本体操作部またはリモコン）には、再生を開始させるための再生ボタン、再生を停止させるための停止ボタン、再生位置を現在選択されているレジューム情報とは異なるレジューム情報に対応した位置に変更させるためのレジュームボタン等が設けられているものとする。
【００２３】
再生ボタンが押されると（ステップ１）、レジューム情報記憶部５にレジューム情報が登録されているか否かを判別する（ステップ２）。レジューム情報記憶部５にレジューム情報が登録されていない場合には、タイトルの先頭から再生を開始する（ステップ３）。
【００２４】
上記ステップ２において、レジューム情報記憶部５にレジューム情報が登録されていると判別した場合には、レジュームポインタによって現在選択されているレジューム情報で示される再生停止位置から再生を開始する（ステップ４）。
【００２５】
再生動作中においては、停止ボタンが押されたか否か（ステップ５）およびレジュームボタンが押されたか否か（ステップ６）を常時監視する。
【００２６】
レジュームボタンが押された場合には（ステップ６でＹＥＳ）、レジュームポインタ移動処理が行われた後（ステップ９）、ステップ５に戻る。レジュームポインタ移動処理の詳細については、後述する。停止ボタンが押された場合には（ステップ５でＹＥＳ）、再生を停止した後（ステップ７）、レジューム情報更新処理を行う（ステップ８）。そして、再生処理を終了する。レジューム情報更新処理の詳細については、後述する。
【００２７】
図５は、レジュームポインタ移動処理（図４のステップ９の処理）の詳細な手順を示している。
【００２８】
まず、レジューム情報記憶部５に記憶されているレジューム情報の数が０または１であるか否かを判別する（ステップ１１）。
【００２９】
レジューム情報記憶部５に記憶されているレジューム情報の数が０または１でなければ、つまり、レジューム情報記憶部５に記憶されているレジューム情報の数が２以上であれば、レジュームポインタによって現在選択されているレジューム情報より一つ登録日時が古いレジューム情報を選択するようにレジュームポインタを移動させる（ステップ１２）。ただし、現在選択されているレジューム情報より登録日時が古いレジューム情報が存在しない場合には、登録日時が最も新しいレジューム情報を選択するようにレジュームポインタを移動させる。そして、新たに選択されたレジューム情報で示される再生停止位置に再生位置を移動させる（ステップ１３）。この後、図４のステップ５に戻る。
【００３０】
上記ステップ１１において、レジューム情報記憶部５に記憶されているレジューム情報の数が０または１であると判別した場合には、何ら処理を行うことなく、図４のステップ５に戻る。
【００３１】
したがって、複数のレジューム情報が登録されている場合には、レジュームボタンが押される毎に、現在選択されているレジューム情報より一つ登録日時が古いレジューム情報で示される再生停止位置に再生位置が移動せしめられることになる。ただし、登録日時が最も古いレジューム情報が選択されている場合に、レジュームボタンが押されたときには、登録日時が最も新しいレジューム情報で示される再生停止位置に再生位置が移動せしめられることになる。
【００３２】
この結果、図２に示すように、Ｂ〜Ｆの再生停止位置に対応するレジューム情報が登録されており、かつ再生停止位置Ｄに対応するレジューム情報が選択されているとすると、レジュームボタンが押される毎に、Ｆ→Ｅ→Ｂ→Ｃ→Ｄ→Ｆの順に再生位置が移動せしめられる。
【００３３】
図６は、レジューム情報更新処理（図４のステップ８の処理）の詳細な手順を示している。
【００３４】
まず、レジューム情報記憶部５に記憶されているレジューム情報の数が、上限値（この例では５個）に達しているか否かを判別する（ステップ２１）。
【００３５】
レジューム情報記憶部５に記憶されているレジューム情報の数が、上限値に達していない場合には、つまり、レジューム情報記憶部５に記憶されているレジューム情報の数が４以下である場合には、今回の再生停止位置を示すレジューム情報を新規なレジューム情報としてレジューム情報記憶部５に追加登録する（ステップ２３）。また、登録日時が最も新しいレジューム情報を選択するようにレジュームポインタを移動させる（ステップ２４）。そして、再生処理を終了する。
【００３６】
レジューム情報記憶部５に記憶されているレジューム情報の数が、上限値に達している場合には、それらのレジューム情報のうち登録日時が最も古いレジューム情報を削除した後（ステップ２２）、ステップ２３および２４の処理を行う。
【００３７】
したがって、図２に示すように５回目の再生停止があった後に、図２にＨで示す位置で６回目の再生停止が行われた場合には、第１回目の再生停止位置Ｃに対応するレジューム情報が削除された後、６回目の再生停止位置に対応するレジューム情報が追加登録されるとともに、レジュームポインタが６回目の再生停止位置に対応するレジューム情報を選択するように移動せしめられる。
【００３８】
〔２〕第１の変形例についての説明
【００３９】
レジュームポインタ移動処理およびレジューム情報更新処理の変形例について説明する。
【００４０】
図７は、レジュームポインタ移動処理の第１変形例を示している。
【００４１】
まず、レジューム情報記憶部５に記憶されているレジューム情報の数が０または１であるか否かを判別する（ステップ３１）。
【００４２】
レジューム情報記憶部５に記憶されているレジューム情報の数が０または１でなければ、つまり、レジューム情報記憶部５に記憶されているレジューム情報の数が２以上であれば、レジュームポインタによって現在選択されているレジューム情報で示される再生停止位置よりも再生停止位置がタイトル終了側にあるレジューム情報のうち、再生停止位置がタイトル先頭に最も近い位置にあるレジューム情報を選択するようにレジュームポインタを移動させる（ステップ３２）。ただし、現在選択されているレジューム情報で示される再生停止位置よりも再生停止位置がタイトル終了側にあるレジューム情報が存在しない場合には、再生停止位置がタイトル先頭に最も近い位置にあるレジューム情報を選択するようにレジュームポインタを移動させる。そして、新たに選択されたレジューム情報によって表される位置に再生位置を移動させる（ステップ３３）。この後、図４のステップ５に戻る。
【００４３】
上記ステップ３１において、レジューム情報記憶部５に記憶されているレジューム情報の数が０または１であると判別した場合には、何ら処理を行うことなく、図４のステップ５に戻る。
【００４４】
したがって、複数のレジューム情報が登録されている場合には、レジュームボタンが押される毎に、現在選択されているレジューム情報で示される再生停止位置よりも再生停止位置がタイトル終了側にあるレジューム情報のうち、再生停止位置がタイトル先頭に最も近い位置にあるレジューム情報で示される再生停止位置に再生位置が移動せしめられることになる。ただし、現在選択されているレジューム情報で示される再生停止位置よりも再生停止位置がタイトル終了側にあるレジューム情報が存在しない場合には、再生停止位置がタイトル先頭に最も近い位置にあるジューム情報で示される再生停止位置に再生位置が移動せしめられることになる。
【００４５】
この結果、図２に示すように、Ｂ〜Ｆの再生停止位置に対応するレジューム情報が登録されており、かつ再生停止位置Ｂに対応するレジューム情報が選択されているとすると、レジュームボタンが押される毎に、Ｃ→Ｄ→Ｅ→Ｆ→Ｂ→Ｃの順に再生位置が移動せしめられる。
【００４６】
図８は、レジューム情報更新処理の第１変形例を示している。
【００４７】
まず、レジューム情報記憶部５に記憶されているレジューム情報の数が、上限値（この例では５個）に達しているか否かを判別する（ステップ４１）。
【００４８】
レジューム情報記憶部５に記憶されているレジューム情報の数が、上限値に達していない場合には、つまり、レジューム情報記憶部５に記憶されているレジューム情報の数が４以下である場合には、今回の再生停止位置を表すレジューム情報を新規なレジューム情報としてレジューム情報記憶部５に追加登録する（ステップ４３）。また、再生停止位置がタイトル先頭に最も近い位置にあるレジューム情報を選択するようにレジュームポインタを移動させる（ステップ４４）。そして、再生処理を終了する。
【００４９】
レジューム情報記憶部５に記憶されているレジューム情報の数が、上限値に達している場合には、それらのレジューム情報のうち再生停止位置がタイトル先頭に最も近い位置にあるレジューム情報を削除した後（ステップ４２）、ステップ４３および４４の処理を行う。
【００５０】
したがって、図２に示すように５回目の再生停止があった後に、図２にＨで示す位置で６回目の再生停止が行われた場合には、再生停止位置がタイトル先頭に最も近い位置にあるレジューム情報（再生停止位置Ｂに対応するレジューム情報）が削除された後、６回目の再生停止位置に対応するレジューム情報が追加登録されるとともに、レジュームポインタが再生停止位置Ｃに対応するレジューム情報を選択するように移動せしめられる。
【００５１】
〔２〕第２の変形例についての説明
【００５２】
レジュームポインタ移動処理およびレジューム情報更新処理の変形例について説明する。
【００５３】
図９は、レジュームポインタ移動処理の第２変形例を示している。
【００５４】
まず、レジューム情報記憶部５に記憶されているレジューム情報の数が０または１であるか否かを判別する（ステップ５１）。
【００５５】
レジューム情報記憶部５に記憶されているレジューム情報の数が０または１でなければ、つまり、レジューム情報記憶部５に記憶されているレジューム情報の数が２以上であれば、レジュームポインタによって現在選択されているレジューム情報より一つ登録日時が古いレジューム情報を選択するようにレジュームポインタを移動させる（ステップ５２）。ただし、現在選択されているレジューム情報より登録日時が古いレジューム情報が存在しない場合には、登録日時が最も新しいレジューム情報を選択するようにレジュームポインタを移動させる。そして、新たに選択されたレジューム情報によって表される位置に再生位置を移動させる（ステップ５３）。この後、図４のステップ５に戻る。
【００５６】
上記ステップ５１において、レジューム情報記憶部５に記憶されているレジューム情報の数が０または１であると判別した場合には、何ら処理を行うことなく、図４のステップ５に戻る。
【００５７】
したがって、複数のレジューム情報が登録されている場合には、レジュームボタンが押される毎に、現在選択されているレジューム情報より一つ登録日時が古いレジューム情報で示される再生停止位置に再生位置が移動せしめられることになる。ただし、登録日時が最も古いレジューム情報が選択されている場合に、レジュームボタンが押されたときには、登録日時が最も新しいレジューム情報で示される再生停止位置に再生位置が移動せしめられることになる。
【００５８】
この結果、図２に示すように、Ｂ〜Ｆの再生停止位置に対応するレジューム情報が登録されており、かつ再生停止位置Ｄに対応するレジューム情報が選択されているとすると、レジュームボタンが押される毎に、Ｆ→Ｅ→Ｂ→Ｃ→Ｄ→Ｆの順に再生位置が移動せしめられる。
【００５９】
図１０は、レジューム情報更新処理の第２変形例を示している。
【００６０】
まず、レジューム情報記憶部５に記憶されているレジューム情報の数が、上限値（この例では５個）に達しているか否かを判別する（ステップ６１）。
【００６１】
レジューム情報記憶部５に記憶されているレジューム情報の数が、上限値に達していない場合には、つまり、レジューム情報記憶部５に記憶されているレジューム情報の数が４以下である場合には、今回の再生停止位置を表すレジューム情報を新規なレジューム情報としてレジューム情報記憶部５に追加登録する（ステップ６３）。また、レジュームポインタを登録日時が最も新しいレジューム情報を選択するように移動させる（ステップ６４）。そして、再生処理を終了する。
【００６２】
レジューム情報記憶部５に記憶されているレジューム情報の数が、上限値に達している場合には、それらのレジューム情報のうち現在選択されているレジューム情報を削除した後（ステップ６２）、ステップ６３および６４の処理を行う。
【００６３】
したがって、図２に示すように５回目の再生停止があった後に、図２にＨで示す位置で６回目の再生停止が行われた場合には、レジュームポインタによって現在選択されているレジューム情報が削除された後、６回目の再生停止位置に対応するレジューム情報が新規登録される。また、再生開始位置Ｄに対応するレジューム情報が削除されたとすると、レジュームポインタが再生停止位置Ｈに対応するレジューム情報を選択するように移動せしめられる。
【００６４】
【発明の効果】
この発明によれば、１つのタイトルを複数のユーザが別々に視聴するような場合においても、各ユーザが自己が再生停止を行った位置から再生を開始させるといったことが容易に行えるようになる。
【図面の簡単な説明】
【図１】記録再生装置の概略的な構成を示すブロック図である。
【図２】第１回目〜第５回目の再生停止位置を示す模式図である。
【図３】レジューム情報記憶部５の内容を示す模式図である。
【図４】再生時の処理手順を示すフローチャートである。
【図５】レジュームポインタ移動処理（図４のステップ９の処理）の詳細な手順を示すフローチャートである。
【図６】レジューム情報更新処理（図４のステップ８の処理）の詳細な手順を示すフローチャートである。
【図７】レジュームポインタ移動処理の第１変形例を示すフローチャートである。
【図８】レジューム情報更新処理の第１変形例を示すフローチャートである。
【図９】レジュームポインタ移動処理の第２変形例を示すフローチャートである。
【図１０】レジューム情報更新処理の第２変形例を示すフローチャートである。
【符号の説明】
１  入力部
２  制御部
３  記録・再生部
４  記録・再生メディア
５  レジューム情報記憶部
【図１】
2005032297.tif 000003
【図２】
2005032297.tif 000004
【図３】
2005032297.tif 000005
【図４】
2005032297.tif 000006
【図５】
2005032297.tif 000007
【図６】
2005032297.tif 000008
【図７】
2005032297.tif 000009
【図８】
2005032297.tif 000010
【図９】
2005032297.tif 000011
【図１０】
2005032297.tif 000012